(57)【特許請求の範囲】
【請求項１】
散点性を有した緩衝材を内包した薄型健康まくらであって、
前記薄型健康まくらの内部に、パイプを接続具で連結し、まくらの外形に沿った枠を備え、
前記パイプと、前記接続具と、に、それぞれ雄ネジと雌ネジを備えてあり、前記雄ネジと前記雌ネジの嵌まり具合によって前記枠の大きさを微調整することができ、
まくらカバーの中央部は、上下の生地が略円形状に縫い合わせてあることで内部が略円環状の空間となり、該空間に前記枠が収納されることを特徴とする薄型健康まくら。
【発明の詳細な説明】
【技術分野】
【０００１】
本発明は、形が崩れにくい薄型健康まくらに関する。
【背景技術】
【０００２】
まくらの緩衝材には、プラスチックのパイプやウレタンフォーム、羽根等が用いられており、使用者が求めるまくらの硬さや感触に応じて、様々なまくらが選択できるようになっている。
【発明の概要】
【発明が解決しようとする課題】
【０００３】
主要な緩衝材の内、プラスチックのパイプやそば殻は適度な硬さと通気性の良さから好んで使用している人が多く見られる一方で、まくら内部に間隙が多いと四散し易く、それにより内部で偏ってしまうことでまくらの形や感触に変化が生じ、寝心地に影響を及ぼす虞があった。
【０００４】
そこで本発明は上記事情に鑑み、内部で緩衝材が偏らないまくらを提供することを目的とする。
【課題を解決するための手段】
【０００５】
散点性を有した緩衝材を内包した薄型健康まくらであって、前記薄型健康まくらの内部に、パイプを接続具で連結し、まくらの外形に沿った枠を備え、前記パイプと、前記接続具と、に、それぞれ雄ネジと雌ネジを備えてあり、前記雄ネジと前記雌ネジの嵌まり具合によって前記枠の大きさを微調整することができ、まくらカバーの中央部は、上下の生地が略円形状に縫い合わせてあることで内部が略円環状の空間となり、該空間に前記枠が収納されることを特徴とする。
【発明の効果】
【０００６】
本発明によれば、パイプと接続具によってまくらの外形に沿った枠をまくらの内部に収容することにより、枠がまくらの骨格の役割を果たすため、同じく内部に収容された緩衝材がまくらの使用によって変形してもまくら全体の形を崩れ難くすることができる。また、まくらの変形による緩衝材の偏りが生じた際も、枠によってまくらの形が整えられていることから、偏った緩衝材を元の位置に戻りやすくすることが出来る。
枠を構成するパイプと接続具はそれぞれ取り外し自在とすることにより、薄型健康まくら１０を簡単に組立および分解することができ、洗濯等の手間が掛かりにくい。
【図面の簡単な説明】
【０００７】
【図１】本発明の薄型健康まくらの全体を示した斜視図である。
【図２】本発明の薄型健康まくらの内部に収容される構成要素を示した図である。
【発明を実施するための形態】
【０００８】
以下より、本発明の薄型健康まくら１０の実施の形態について詳説する。
本実施の形態において、本発明の薄型健康まくら１０は図１に示すように、略直方体形の外形を有しており、袋状のまくらカバー１１によって全体が覆われている。
まくらカバー１１の内部には、図２に示すように、４本のパイプ２１、２１、２１、２１が４つの接続具２２、２２、２２、２２によって連結された枠２０を備えており、前記枠を埋没させるように散点性を有した緩衝材３１も収容されている。なお、本実施の形態において、緩衝材３１にはそば殻を使用している。
【０００９】
前記まくらカバー１１には、その内部に枠２０と緩衝材３１とを収納するための開口部としてファスナー１２が設けられており、ファスナー１２の開閉によってまくらカバー１１内部へ枠２０や緩衝材３１を出し入れ自在にすることが出来る。
また、まくらカバー１１の中央部は上下の生地が略円形状に縫い合わせてあって、まくらカバー１１内部が略円環状の空間となっている。このため、カバー１１内部に緩衝材３１を収容して、薄型健康まくら１０の厚みを増やすことにより、薄型健康まくら１０の中央部には漏斗のように凹んだ凹部１３が形成される。
【００１０】
枠２０は、上述のようにパイプ２１と接続具２２で構成されており、直線状のパイプ２１の両端に、略Ｌ字形の接続具２２を嵌挿することで略長方形状の外形を形成している。
薄型健康まくら１０の製造の際には、予め２つのパイプ２１、２１を接続具２２で連結しておき、まくらカバー１１内部へ挿入する。その後、残りのパイプ２１と連結具２２をまくらカバー１１内部へ個々に挿入し、内部で枠２０を組み上げる。このとき、パイプ２１と接続具２２にそれぞれ雄ネジと雌ネジを備えておくことにより、パイプ２１を回転させて接続具２２との嵌まり具合を自在に調節することが出来る。また、パイプ２１と接続具２２との連結部に貫通孔を設け、該貫通孔にボルト挿入しナットで締めて、パイプ２１と接続具２２とを連結しても良い。この時、パイプ２１に設けた貫通孔を、パイプ２１の長手方向に伸ばして略楕円形の貫通孔とすれば、ボルトが貫通したパイプ２１はその貫通孔の長さだけ自由に摺動することができ、接続具２２との嵌まり具合を微調整できる。
枠２０が組み上がった後、緩衝材３１を薄型健康まくら１０が十分な厚みを得るまで、隙間なく挿入していく。
【００１１】
以上のように構成した薄型健康まくら１０であれば、枠２０がまくらの骨格の役割を果たすため、外部からの圧力によるまくらの変形が生じにくく、まくらの形を綺麗に維持することが出来る。
また、パイプ２１と接続具２２との嵌まり具合を自在に調節できるようにすることで、枠２０の大きさを使用するまくらカバー１１の大きさに合わせて微調整を行うことができ、まくらカバー１１に皺が寄らず意匠性の良い薄型健康まくら１０を提供することが可能となる。
本発明の薄型健康まくら１０の中央部には漏斗のように凹んだ凹部１３が設けられており、就寝時に使用者の外耳をこの凹部１３にあてがうことで、外耳がまくらと頭部に挟まれる虞が無くなり、外耳の痛みを気にすること無く眠ることが出来る。
【００１２】
さらに、本発明の薄型健康まくら１０は上述のとおりまくら内部に収容された枠２０によって緩衝材３１の移動による偏りが起きにくく、その形状が維持されるため、薄型健康まくら１０の硬さが維持できる。すると、薄型健康まくら１０の硬さによって薄型健康まくら１０と接している使用者の頸部や肩部が程よい力で圧迫され、付近のツボを刺激する。ゆえに、使用者には通常のまくらよりも心地よい睡眠を提供できる。
また、本発明の薄型健康まくら１０の下方にタオル等を敷き、薄型健康まくら１０の位置を高くすることにより、内部に収容した枠２０を構成するパイプ２１が、タオル等の厚みによって緩衝材３１とまくらカバー１１越しに使用者の頸部から肩部を程よい力で圧迫する。すると、頸部から肩部にかけて押圧マッサージをされているかのような心地よい刺激を得ることができ、質の良い睡眠を取ることが可能となる。
【００１３】
本発明の薄型健康まくら１０は、上記の実施形態例に限定されるものではなく、特許請求の範囲内で適宜変更できる。例えば、緩衝材３１の素材にそば殻だけでなく、プラスチックのパイプや羽根、綿、木材のチップ、薬草等を使用しても良い。
【符号の説明】
【００１４】
１０  薄型健康まくら
２０  枠
２１  パイプ
２２  接続具
３１  緩衝材
【要約】
【課題】
内包された緩衝材の偏りが生じにくいまくらを提供する。
【解決手段】
散点性を有した緩衝材３１を内包した薄型健康まくら１０であって、前記薄型健康まくら１０の内部にパイプ２１を接続具２２で連結した枠２０を備え、前記パイプ２１と前記接続具２２は、取り外し自在であることを特徴とする。
【選択図】図２【図１】
0006848107.tif 000002
【図２】
0006848107.tif 000003